(57)【要約】      （修正有）【課題】安定した状態で積み重ねると同時に、積み重ねたパレットをフォークリフトでスムーズに分離できるプラスチック製パレットの積み重ね構造を提供する。【解決手段】パレットの積載面の底部周囲及び中央に、複数の中空の支持体２０を下方向に延長させる。各支持体の中空凹部３０内には十字形の支持骨を設け、支持骨に対応する支持体底部箇所には上側に窪んだ十字形の定位溝部を設置し、定位溝部の上部高さは積載面の底面高さより低くする。複数のパレットを積み重ねる時、上層パレットの支持体底部を下層パレット積載面上の凹部内に嵌入して定位し、並びに、下層パレットの支持骨が上層パレットの定位溝部を圧することにより、上部パレットと下層パレットの積載面間には間隔が保たれ、フォークリフトのツメをこの間隔から挿入することにより、スムーズに上層パレットを持ち上げることができる。【選択図】図４
0003187055.tif 000002
【実用新案登録請求の範囲】
【請求項１】
プラスチック製パレットの積み重ね構造において、パレットの積載面の底部周囲及び中央に、複数の中空の支持体を下方向に延長させ、該積載面の各支持体の中空凹部内には十字形の支持骨を設け、支持骨に対応する各支持体底部箇所には上側に窪んだ十字形の定位溝部を設置し、該定位溝部は支持体底部を四つの支持柱に区切り、尚且つ定位溝部の上部高さは積載面の底面高さより低くし、前記上層パレットを下層パレットの積載面上に積み重ねる時、上層パレットの各支持体の四つの支持柱はそれぞれ対応する下層パレット積載面上の中空凹部内に嵌入されて定位し、中空凹部内の十字形支持骨が上層パレット支持体の十字形定位溝部の上部を圧することにより、上部パレットの積載面底面と下層パレットの積載面上面はフォークリフトのツメを挿入し持ち上げる間隔を保持することを特徴とするプラスチック製パレットの積み重ね構造。
【請求項２】
上側に窪んだ形状の十字形定位溝部の肉厚によって中空凹部内に突出する十字形制御部を形成し、前記十字形支持骨を制御部上に立たせ、尚且つ、支持骨上面と積載面上面の高さを等しくし、中空凹部を四つに区切ることを特徴とする請求項１に記載のプラスチック製パレットの積み重ね構造。
【請求項３】
前記中空凹部の内側には各支持柱に相対する位置に複数の補強骨を立て、複数の補強骨の上面と十字形制御部の高さを等しくし、上層パレットは下層パレットの積載面上に積み重ね、該上層パレットの各支持柱の底端は、対応する下層パレットの中空凹部内の複数の補強骨上面を圧することを特徴とする請求項２に記載のプラスチック製パレットの積み重ね構造。
【請求項４】
前記十字形支持骨の中央には円柱状の連接柱を設けることを特徴とする請求項１に記載のプラスチック製パレットの積み重ね構造。
【請求項５】
前記積載面底面の二つの相隣する支持体間には上側に窪んだ形状のガイド溝部を設け、各ガイド溝部は積載面底面エッジに傾斜した面取り部を備えることを特徴とする請求項１に記載のプラスチック製パレットの積み重ね構造。
【請求項６】
前記積載面上面には複数の固定孔を設け、各固定孔内には積載面上面に若干突出する滑り止めを設けることを特徴とする請求項１に記載のプラスチック製パレットの積み重ね構造。
【考案の詳細な説明】
【技術分野】
【０００１】
本考案は、一体成型のプラスチック製パレット上に応用し、特に、パレットを安定した状態で積み重ね、尚且つ便利に一層一層のパレットを分解できるプラスチック製パレットの積み重ね構造に関する。
【背景技術】
【０００２】
図１に示すとおり、公知の一体成型のプラスチック製パレットの外観は矩形をなし、貨物を載せるための積載面１と、パレット底部に設置する底面２と、平均的に積載面１と底面２の間に設置する複数の支持柱３とを含む。二つの隣接する支持柱３の間にはフォークリフトのツメを挿入する為の切欠口４を形成する。貨物をパレットの上方に積み重ねた後、フォークリフトのツメによってパレットと積載面１に乗せた貨物を持ち上げ、関連する指定位置まで搬送する。
【０００３】
一般のパレットに貨物を載せていない場合、通常、一層一層積み重ねた形態で倉庫内に保管し、収納スペースを節約する。だが、パレットはプラスチック材質によって製作するため、表面がつるつるしているため、パレットを重ね合わせる時に、下層のパレットの積載面と上層のパレットの底面が容易に滑り動き、傾いて倒れてしまうこともあり、パレットを高く積み上げることはできず、比較的広い収納スペースが必要となる。
【０００４】
よって、業者は図２に示す様な公知のパレットを設計し、パレットは積載面５底部の周囲及び中央に、若干傾斜角度を備えた複数の支持柱６を下向きに設置し、積載面５底部の二つの隣接する支持柱６の間には上向きに窪んだ切欠溝部７を設ける。そのうち、各支持柱６の上面は底面より大きく、尚且つ積載面５上部開口方向の収納溝部８を備える。パレットを相互に積み重ねる時、上層パレットの支持柱６は対応する下層パレットの収納溝部８内に挿入され、これにより、複数のパレットは安定した状態で積み重ねて定位され、収納スペースを減少させられる。
【０００５】
しかし、図２の公知のパレットはフォークリフトのツメを挿入する切欠溝部７を設置してはいるが、パレットを倉庫に収納し積み重ねる時、より下層のパレットが受ける重量圧力がより大きくなるため、上層パレットの支持柱６が下層パレットの収納溝部８内を圧して引っ掛かるため、パレットが分離し難くなる。加えて図３に示すとおり、フォークリフトのツメがパレットの何れか一方側から切欠溝部７内に挿入されて上層パレットを持ち上げる瞬間、上層パレットが一角度に傾斜し、フォークリフト側の複数の支持柱６が収納溝部８から離脱するが、相対する別の一方側は角度傾斜のために効果的に分離できず、作業の困難を引き起こしている。
【０００６】
公知のパレットに使用における諸々の不便性がある事に鑑み、本考案人は長年の関連分野で積み上げた研究と実務経験を活かして、特に、プラスチック製パレット上に応用できる積み重ね構造を生み出した。これにより、パレットは安定した状態で積み重ねられると同時に、相互に積み重ねたパレットを便利に分離させて倉庫での収納物流作業を行うことができ、積み重ねし難く、重ねた時間が長い為に分離しにくくなる公知パレットの欠点を改善する。
【考案の概要】
【考案が解決しようとする課題】
【０００７】
本考案の目的は、一体成型したプラスチック製パレット上に応用する積み重ね構造を提供することにあり、パレットを安定した状態で積み重ねて、収納スペースを節約し、フォークリフトで一層一層に積み重ねたパレットをスムーズに分離して倉庫での収納作業を行うことができ、使用を便利にする目的を達成する。
【課題を解決するための手段】
【０００８】
上述の目的を達成するために、本考案のプラスチック製パレットの積み重ね構造はパレットの積載面の底部周囲及び中央に、複数の中空の支持体を下方向に延長させる。該積載面の各支持体の中空凹部内には十字形の支持骨を設ける。支持骨に対応する各支持体底部箇所には上側に窪んだ十字形の定位溝部を設置し、該定位溝部は支持体底部を四つの支持柱に区切り、尚且つ定位溝部の上部高さは積載面の底面高さより低くする。前記上層パレットを下層パレットの積載面上に積み重ねる時、上層パレットの各支持体の四つの支持柱はそれぞれ対応する下層パレット積載面上の中空凹部内に嵌入されて定位し、中空凹部内の十字形支持骨が上層パレット支持体の十字形定位溝部の上部を圧することにより、上部パレットの積載面底面と下層パレットの積載面上面はフォークリフトのツメを挿入し持ち上げる間隔を保持する。
【０００９】
上述の構造を用いて、パレットに貨物を積載した時、各支持体底部の四つの支持柱は貨物の重量を平均的に分散し、これにより、パレットは更に重量の重い貨物を積載することができ、貨物を積載した時に、安定して傾いて倒れることがなく、加えて、中空凹部内の十字形支持骨はパレット構造を強化する効果を備え、パレットの耐用度を効果的に向上させる。
【００１０】
さらに、パレットを倉庫で積み重ねて収納する時、上面パレットの各支持体をそれぞれ、対応する下層パレット積載面上の中空凹部内に嵌入して定位するため、収納体積を減少させ、尚且つ下層パレットの中空凹部内の十字形支持骨上部が上層パレット支持体の十字形定位溝部上部を圧するため、上層パレットの支持体外側壁面は中空凹部内を圧して引っ掛かることがなく、二者間には一定間隔が保たれる。これにより、フォークリフトのツメをパレットの何れかの一方側から挿入して上層パレットを持ち上げる瞬間、各支持体の周囲にはゆとりのある空間が生まれ、パレットに沿って一定角度に傾斜するため、フォークリフトは上層パレットをスムーズに持ち上げ、パレットを長く積み重ねると分離しにくくなる欠点を改善する。
【考案の効果】
【００１１】
本考案のプラスチック製パレット上に応用する積み重ね構造は、パレットを安定した状態で積み重ねて、収納スペースを節約し、フォークリフトで一層一層に積み重ねたパレットをスムーズに分離して倉庫での収納作業を行うことができ、使用を便利にする効果を有する。
【図面の簡単な説明】
【００１２】
【図１】公知パレットを積み重ねた状態を示す図である。
【図２】もう一つの公知パレットを積み重ねた状態を示す図である。
【図３】図２のパレットをフォークリフトで持ち上げた状態を示す図である。
【図４】本考案パレットの立体外観図である。
【図５】本考案支持体の立体外観図である。
【図６】本考案支持体の底面斜めから見た立体概観図である。
【図７】本考案パレットを積み重ねた状態を示す図である。
【図８】フォークリフトで本考案の上層パレットを持ち上げた状態を示す図である。
【図９】本考案支持体の第二実施例に関する立体外観図である。
【図１０】本考案パレットの第二実施例を積み重ねた状態を示す図である。
【考案を実施するための形態】
【００１３】
次に、本考案の技術手段に基づき、本考案に適する実施方式を列挙し、尚且つ図面を組み合わせて説明を行なう。
【実施例】
【００１４】
図４乃至図７に示すとおり、本考案のプラスチック製パレットの積み重ね構造において、パレットの積載面１０の底部周囲及び中央に、複数の中空の支持体２０を下方向に延長させる。該積載面１０の各支持体２０の中空凹部３０内には十字形の支持骨３１を設け、支持骨３１に対応する各支持体２０底部箇所には上側に窪んだ十字形の定位溝部２１を設置し、該定位溝部２１は支持体２０底部を四つの支持柱２２に区切り、尚且つ定位溝部２１の上部高さは積載面１０の底面高さより低くする。上層パレットを下層パレットの積載面１０に積み重ねる時、上層パレットの各支持体２０の四つの支持柱２２はそれぞれ対応する下層パレット積載面１０上の中空凹部３０内に嵌入されて定位し、中空凹部３０内の十字形支持骨３１が上層パレット支持体２０の十字形定位溝部２１の上部を押圧することにより、上部パレットの積載面１０底面と下層パレットの積載面１０上面はフォークリフトのツメを挿入し持ち上げる間隔を保持する。
【００１５】
図５及び図６に示すとおり、上側に窪んだ形状の十字形定位溝部２１の肉厚をなして中空凹部３０内に突出する十字形制御部３２を形成し、前記十字形支持骨３１を制御部３２上に立たせる。
【００１６】
前記支持骨３１の上面と積載面１０の上面の高さを等しくし、中空凹部３０を四つに区切るため、パレット構造を強化する効果を備え、パレットの耐用度を効果的に高めることができる。さらに、十字形支持骨３１の中央には円柱状の連接柱３１１を設け、支持骨３１の構造強度を高め、支持骨３１を射出成型した時に材料が収縮する状況を防ぐことができる。
【００１７】
上述の構造を用いて、パレットに貨物を積載した時、各支持体２０底部の四つの支持柱２２は貨物の重量を平均的に分散し、これにより、パレットは更に重量の重い貨物を積載することができ、貨物を積載した時に、安定して傾いて倒れることがなく、加えて、中空凹部３０内の十字形支持骨３１はパレット構造を強化する効果を備え、パレットの耐用度を効果的に向上させる。
【００１８】
さらに、図７及び図８に示すとおり、パレットを倉庫で積み重ねて収納する時、上面パレットの各支持体２０をそれぞれ対応する下層パレット積載面１０上の中空凹部３０内に嵌入して定位するため、収納体積を減少させ、尚且つ下層パレットの中空凹部３０内の十字形支持骨３１上部が上層パレット支持体２０の十字形定位溝部２１上部を圧するため、上層パレットの支持体２０外側壁面は中空凹部３０内を圧して引っ掛かることがなく、二者間には一定間隔が保たれる。これにより、フォークリフトのツメをパレットの何れかの一方側から挿入して上層パレットを持ち上げる瞬間、各支持体２０の周囲にはゆとりのある空間が生まれ、パレットに沿って一定角度に傾斜するため、フォークリフトは上層パレットをスムーズに持ち上げ、パレットを長く積み重ねると分離しにくくなる欠点を改善する。
【００１９】
図４に示すとおり、積載面１０底面の二つの相隣する支持体２０の間には上側に窪んだ形状のガイド溝部４０を設け、各ガイド溝部４０は積載面１０底面エッジに傾斜した面取り部４１を備える。該面取り部４１は、フォークリフトのツメをガイド溝部４０内に挿入しパレットを持ち上げて位置を移動させるのに便利であると同時に、ガイド溝部４０が外力を受けた時の応力集中現象を消失できる。
【００２０】
図中に示したとおり、前記積載面１０上面には複数の固定孔１１を設け、各固定孔１１内には積載面１０上面に若干突出する滑り止め１２を設け、複数の滑り止め１２によって積載面１０上に載せた貨物が滑り動くのを防ぎ、安定した状態で積み重ねる効果を達成する。
【００２１】
図９及び図１０に示すとおり、実施時には、前記中空凹部３０の内側には各支持柱２２に相対する位置に複数の補強骨３３を立て、複数の補強骨３３の上面と十字形制御部３２の高さを等しくすることで、上層パレットと下層パレットを相互に積み重ねる時、下層パレットの各中空凹部３０の支持骨３１の上端が上層パレットの支持体２０の定位溝部２１上部を圧すると共に、上層パレットの各支持柱２２の底端も対応する下層パレットの中空凹部３０内の複数の補強骨３３上面を圧するため、パレットを積み重ねる際の安定性を強化する。
【００２２】
以上の実施説明と図面によって示した本考案を、好ましい実施例を挙げて説明したが、これは本考案に制約を加えるものではないことを明記する。よって、本考案の構造、装置、特徴等に近似或いは同様のものは全て、本考案の創作目的及び実用新案登録請求の範囲内に属するものとする。
【符号の説明】
【００２３】
１  積載面
２  底面
３  支持柱
４  切欠口
５  積載面
６  支持柱
７  切欠溝部
８  収納溝部
１０  積載面
１１  固定孔
１２  滑り止め
２０  支持体
２１  定位溝部
２２  支持柱
３０  中空凹部
３１  支持骨
３２  制御部
３３  補強骨
３１１  連接柱
４０  ガイド溝部
４１  面取り部
【図１】
0003187055.tif 000003
【図２】
0003187055.tif 000004
【図３】
0003187055.tif 000005
【図４】
0003187055.tif 000006
【図５】
0003187055.tif 000007
【図６】
0003187055.tif 000008
【図７】
0003187055.tif 000009
【図８】
0003187055.tif 000010
【図９】
0003187055.tif 000011
【図１０】
0003187055.tif 000012